(57)【要約】【課題】耐オゾン性が良好であり、かつ高発色であり、さらにはメタメリズムにも優れた画像を記録可能なインクを提供する。【解決手段】下記一般式（Ｉ）で表される化合物、及び水溶性銅化合物を含有するインクである。下記一般式（Ｉ）中のＭはそれぞれ独立に、水素原子、アルカリ金属、アンモニウム、又は有機アンモニウムを表す。2017222825.tif 000014【選択図】なし【特許請求の範囲】
【請求項１】
下記一般式（Ｉ）で表される化合物、及び水溶性銅化合物を含有することを特徴とするインク。
2017222825.tif 000013
（前記一般式（Ｉ）中、Ｍはそれぞれ独立に、水素原子、アルカリ金属、アンモニウム、又は有機アンモニウムを表す。）
【請求項２】
前記水溶性銅化合物が、塩化銅（II）、塩素酸銅（II）、グルコン酸銅（II）、蟻酸銅（II）、サリチル酸銅（II）、エチレンジアミン四酢酸銅（II）、及び酢酸銅（II）からなる群より選択される少なくとも１種である請求項１に記載のインク。
【請求項３】
前記一般式（Ｉ）で表される化合物の含有量（質量％）が、インク全質量を基準として、１．００質量％以上７．００質量％以下である請求項１又は２に記載のインク。
【請求項４】
前記一般式（Ｉ）で表される化合物の含有量（質量％）が、前記水溶性銅化合物の含有量（質量％）に対する質量比率で、０．７０倍以上３５．００倍以下である請求項１乃至３のいずれか１項に記載のインク。
【請求項５】
インクと、前記インクを収容するインク収容部とを備えたインクカートリッジであって、
前記インクが、請求項１乃至４のいずれか１項に記載のインクであることを特徴とするインクカートリッジ。
【請求項６】
インクをインクジェット方式の記録ヘッドから吐出して記録媒体に画像を記録するインクジェット記録方法であって、
前記インクが、請求項１乃至４のいずれか１項に記載のインクであることを特徴とするインクジェット記録方法。
【発明の詳細な説明】
【技術分野】
【０００１】
本発明は、インク、インクカートリッジ、及びインクジェット記録方法に関する。
【背景技術】
【０００２】
インクジェット記録方法は、インク小滴を記録媒体に付与して画像を記録する方法であり、その低価格化、記録速度の向上により、急速に普及が進んでいる。一般に、インクジェット記録方法で得られた記録物は、銀塩写真と比較してその画像の堅牢性が低い。特に、記録物が、光、湿度、熱、空気中に存在するオゾンガスなどの環境ガスに長時間さらされた際に、記録物における色材が劣化し、画像の色調変化や褪色が発生しやすいといった問題がある。
【０００３】
ブラック色材を含有するインク（ブラックインク）を用いて記録した画像の褪色は、色材の劣化による色調の変化を伴うことが多い。また、ブラックインクにおいては、十分な階調性、及びシャドゥ部の深みを有する画像を得るために、高い光学濃度を有する画像を記録しうることが求められている。さらに、ブラックインクにより記録された画像光源（反射光）によって色差が大きくなる、つまり、メタメリズムが劣るという課題を有している。メタメリズム（条件等色）とは、分光分布が異なる色が一定の観察条件下で等しい色に見える現象のことであるが、本明細書におけるメタメリズムとは、同一の記録物が光源（透過光ではなく反射光）によって色が異なって見える現象のことを指すものとする。そして、画像においてメタメリズムが劣る場合、同一の画像が、例えば、太陽光下と蛍光灯下とで色が変わって見えるという問題がある。
【０００４】
ブラック色材については、分子構造のポリアゾ化が広く検討されている。例えば、高い光学濃度を得るためにテトラキスアゾ化合物を用いた技術が提案されている（特許文献１及び２参照）。また、光学濃度が高く、耐光性及び耐オゾン性が良好な画像を得られる色材の技術として、含窒素ヘテロ環を有する色材を用いた技術が提案されている（特許文献３及び４参照）。
【先行技術文献】
【特許文献】
【０００５】
【特許文献１】国際公開第２００５／１０８５０２号
【特許文献２】国際公開第２００６／０５１８５０号
【特許文献３】国際公開第２０１２／０１４９５４号
【特許文献４】特開２００５−１３９４２７号公報
【発明の概要】
【発明が解決しようとする課題】
【０００６】
本発明者らの検討の結果、上記で挙げた従来技術で検討されている色材は、近年の耐オゾン性、発色性、メタメリズムに対する高い要求の全てを同時に満足できていないことがわかった。
【０００７】
したがって、本発明の目的は、耐オゾン性が良好で、かつ高発色であり、さらにはメタメリズムにも優れる画像を記録可能なインクを提供することにある。また、本発明の別の目的は、前記インクを用いたインクカートリッジ、及びインクジェット記録方法を提供することにある。
【課題を解決するための手段】
【０００８】
上記の目的は以下の本発明によって達成される。すなわち、本発明によれば、下記一般式（Ｉ）で表される化合物、及び水溶性銅化合物を含有することを特徴とするインクが提供される。
【０００９】
2017222825.tif 000002
（前記一般式（Ｉ）中、Ｍはそれぞれ独立に、水素原子、アルカリ金属、アンモニウム、又は有機アンモニウムを表す。）
【発明の効果】
【００１０】
本発明によれば、耐オゾン性が良好であり、かつ高発色であり、さらにはメタメリズムにも優れた画像を記録可能なインクを提供することができる。また、本発明によれば、このインクを用いたインクカートリッジ、及びインクジェット記録方法を提供することができる。
【図面の簡単な説明】
【００１１】
【図１】本発明のインクカートリッジの一実施形態を模式的に示す断面図である。
【図２】本発明のインクジェット記録方法に用いられるインクジェット記録装置の一例を模式的に示す図であり、（ａ）はインクジェット記録装置の主要部の斜視図、（ｂ）はヘッドカートリッジの斜視図である。
【発明を実施するための形態】
【００１２】
以下に、好ましい実施の形態を挙げて、さらに本発明を詳細に説明する。なお、本発明においては、化合物が塩である場合は、インク中では塩はイオンに解離して存在しているが、便宜上、「塩を含有する」と表現する。また、インクジェット用のインクのことを、単に「インク」と記載することがある。また、物性値は、特に断りのない限り、常温（２５℃）における値とする。
【００１３】
本発明者らの検討によると、ブラック色材を含有するインクで記録された画像におけるメタメリズムは、ブラック色材の長波長吸収性、特に６８０ｎｍ以上の波長領域での吸収性に大きく影響することがわかった。メタメリズムが良好な画像を記録しうるブラックインクは、各光源においての色変化が少ないものであり、可視領域における各波長の吸収スペクトルが平坦な形状を示す。しかし、従来の技術においては、ブラック色材、特に色材が染料の場合においては、各波長における吸収スペクトルは十分に平坦にならず、ピーク波長を有している。ブラックインクとして短波長領域の吸収性が不足している場合には、不足する波長領域にピーク波長を有する色材、例えばイエロー色材、マゼンタ色材、シアン色材を調色として用いることで、不足分を補うことが可能である。しかし、長波長領域の吸収性は、長波長領域にピーク波長を有する染料がないため、不足分を補うことができない。したがって、メタメリズムの改善には、ブラック色材の長波長吸収性（６８０ｎｍ以上）が高いものを用いる必要がある。
【００１４】
特許文献１に記載のテトラキスアゾ化合物は３つのナフタレン骨格を有するので、π電子が多くなり、最大吸収波長が長波長領域にシフトする。そのため、本発明者らが特許文献１に記載されたブラック染料を用いてブラックインクとしてのメタメリズムを検討したところ、メタメリズムや発色性は良好な結果であることがわかった。しかし、耐オゾン性は不十分であった。これは分子内の電子が非局在化し酸化されやすいためであると考察している。そこで、特許文献２に記載のテトラキスアゾ化合物（ブラック染料）を用いてブラックインクを調製し、検討したところ、耐オゾン性、発色性は良好であったが、長波長吸収性が低く、メタメリズムは不十分であった。さらに特許文献３及び４に記載のブラック染料を用いてブラックインクを調製し、検討したところ、耐オゾン性は良好であったが、やはり長波長吸収性が低く、メタメリズムは不十分であった。また発色性も特許文献２に記載のテトラキスアゾ化合物よりも劣るものであった。以上のことより、従来技術においては、耐オゾン性、発色性、及びメタメリズムのいずれも良好な画像を記録可能なブラックインクはないことがわかった。
【００１５】
本発明者らは、ブラックインクとして、発色性、耐オゾン性、及びメタメリズムのいずれも良好な画像を得るために、高い光学濃度を得ることができる特許文献２に記載のテトラキスアゾ化合物について、メタメリズムの向上を目指して検討を行った。メタメリズムの向上には、化合物の長波長吸収性を向上させる必要がある。そのために、本発明者らは、種々の検討を行ってきたところ、後記一般式（Ｉ）で表される化合物を用いたブラックインクに、水溶性銅化合物をインクに含有させることにより、長波長吸収性が向上し、メタメリズムが向上することを見出した。
【００１６】
一方、特許文献３及び４に記載の化合物を用いたインクに水溶性銅化合物を含有させたところ、長波長吸収性の向上はみられず、メタメリズムが向上することはなかった。すなわち、後記一般式（Ｉ）で表される化合物及び水溶性銅化合物を併用することによって、耐オゾン性が良好であり、かつ高発色であり、さらにはメタメリズムにも優れるインク、特にはインクジェット用のブラックインクを提供することができる。
【００１７】
上記現象が発生する理由を、本発明者らは以下のように推測している。水溶性銅化合物による銅イオンにより、一般式（Ｉ）で表される化合物がキレートを形成し、一般式（Ｉ）で表される化合物のπ電子共役系が延びることにより、その吸収スペクトルが長波長領域にシフトしたと考えられる。一方、特許文献３及び４に記載の化合物では、分子の極性が一般式（Ｉ）で表される化合物より高く、分子同士で会合状態となって存在しているため、水溶性銅化合物によるキレートが生成し難く、上述のような長波長領域へのシフトが起こらないと考えられる。
【００１８】
＜インク＞
以下、本発明のインクを構成する各成分や、インクの物性について詳細に説明する。
【００１９】
（一般式（Ｉ）で表される化合物）
本発明のインクは、下記一般式（Ｉ）で表される化合物を色材（染料）として含有する。
【００２０】
2017222825.tif 000003
（前記一般式（Ｉ）中、Ｍはそれぞれ独立に、水素原子、アルカリ金属、アンモニウム、又は有機アンモニウムを表す。）
【００２１】
一般式（Ｉ）中のＭで表されるアルカリ金属としては、リチウム、ナトリウム、及びカリウムなどを挙げることができる。また、Ｍで表される有機アンモニウムとしては、メチルアミン及びエチルアミンなどの炭素数１以上３以下のアルキルアミン類；モノエタノールアミン、ジエタノールアミン、トリエタノールアミン、モノイソプロパノールアミン、ジイソプロパノールアミン、及びトリイソプロパノールアミンなどの炭素数１以上４以下のモノ、ジ又はトリアルカノールアミン類などを挙げることができる。本発明においては、一般式（Ｉ）中のＭが、いずれもナトリウムであることが好ましい。
【００２２】
一般式（Ｉ）で表される化合物の好適例を遊離酸型で表すと、以下に示す例示化合物１及び２を挙げることができる。本発明においては、以下に示す例示化合物のなかでも例示化合物１がより好ましい。
【００２３】
2017222825.tif 000004
【００２４】
インク中の一般式（Ｉ）で表される化合物の含有量は、インク全質量を基準として、１．００質量％以上７．００質量％以下であることが好ましい。１．００質量％未満であると、光学濃度が低下する場合があり、７．００質量％超であると、インクの耐固着性が低下する場合がある。また、インクには、一般式（Ｉ）で表される化合物に加えて、他の色材を使用しても良い。
【００２５】
（水溶性銅化合物）
インクは水溶性銅化合物を含有する。「水溶性」とは、２５℃において、水への溶解度が０．５０質量％以上であることを意味する。銅化合物の種類は水に可溶であれば特に限定されない。インクは、塩化銅（II）、塩素酸銅（II）、グルコン酸銅（II）、蟻酸銅（II）、サリチル酸銅（II）、エチレンジアミン四酢酸銅（II）、及び酢酸銅（II）からなる群より選択される少なくとも１種を含有することが好ましい。これらのなかでも、グルコン酸銅（II）、エチレンジアミン四酢酸銅（II）がより好ましい。これらの水溶性銅化合物を用いることにより、色材が本来有する優れた発色性、及び耐オゾン性を損なうことなく、メタメリズムに優れる画像を記録することが可能なインクとすることができる。
【００２６】
インク中の一般式（Ｉ）で表される化合物の含有量Ａ（質量％）は、インク中の水溶性銅化合物の含有量Ｂ（質量％）に対する質量比率（Ａ／Ｂ）で、０．７０倍以上３５．００倍以下であることが好ましい。Ａ／Ｂが０．７０倍未満であると、インクの耐固着性が低下する場合がある。また、Ａ／Ｂが３５．００倍超であると、メタメリズムが低下する場合がある。
【００２７】
（水性媒体）
本発明のインクには、水、又は水及び水溶性有機溶剤の混合溶媒である水性媒体を含有させることができる。本発明においては、水性媒体として少なくとも水を含有する、水性のインクとすることが好ましい。水は、脱イオン水（イオン交換水）を用いることが好ましい。インク中の水の含有量（質量％）は、インク全質量を基準として、５．００質量％以上９０．００質量％以下であることが好ましく、１０．００質量％以上９０．００質量％以下であることがより好ましい。
【００２８】
水溶性有機溶剤は、水溶性であれば特に制限はなく、アルコール、多価アルコール、ポリグリコール、グリコールエーテル、含窒素極性溶媒、及び含硫黄極性溶媒などを用いることができる。インク中の水溶性有機溶剤の含有量（質量％）は、インク全質量を基準として、５．００質量％以上９０．００質量％以下であることが好ましく、１０．００質量％以上５０．００質量％以下であることがさらに好ましい。水溶性有機溶剤の含有量が上記した範囲を外れると、高いレベルのインクの吐出安定性が十分に得られない場合がある。
【００２９】
（その他の添加剤）
本発明のインクは、上記した成分以外にも必要に応じて、トリメチロールプロパン、トリメチロールエタンなどの多価アルコール類や、尿素やその誘導体などの、常温で固体の水溶性有機化合物を含有してもよい。さらに、本発明のインクは、必要に応じて、界面活性剤、ｐＨ調整剤、防錆剤、防腐剤、防黴剤、酸化防止剤、還元防止剤、蒸発促進剤、キレート化剤、及び水溶性樹脂など、種々の添加剤を含有してもよい。
【００３０】
（その他のインク）
フルカラーの画像などを形成するために、本発明のインクと、本発明のインクとは別の色相を有するその他のインクとを組み合わせて用いることができる。その他のインクとしては、例えば、ブラックインク、シアンインク、マゼンタインク、イエローインク、レッドインク、グリーンインク、及びブルーインクからなる群より選択される少なくとも一種のインクを挙げることができる。また、これらのインクと実質的に同一の色相を有する、いわゆる淡インクをさらに組み合わせて用いることもできる。その他のインクや淡インクに用いられる色材は、公知の染料であっても、新規に合成された染料であってもよい。
【００３１】
（インクの物性）
本発明のインクの２５℃における表面張力は、１０ｍＮ／ｍ以上６０ｍＮ／ｍ以下であることが好ましく、２０ｍＮ／ｍ以上６０ｍＮ／ｍ以下であることがより好ましく、３０ｍＮ／ｍ以上４０ｍＮ／ｍ以下であることがさらに好ましい。インクの表面張力を上記した範囲内とすることで、インクジェット方式に適用した際に吐出口近傍の濡れによる吐出よれ（インクの着弾点のズレ）などの発生を有効に抑制することが可能となる。インクの表面張力は、インク中の界面活性剤や水溶性有機溶剤などの含有量を適宜設定することで調整することができる。また、インクジェット方式の記録ヘッドの吐出口から吐出する際に良好な吐出特性が得られるように、インクの粘度を調整することが好ましい。本発明のインクの２５℃における粘度は、１．０ｍＰａ・ｓ以上５．０ｍＰａ・ｓ以下であることが好ましく、１．０ｍＰａ・ｓ以上３．０ｍＰａ・ｓ以下であることがより好ましい。
【００３２】
＜インクカートリッジ＞
本発明のインクカートリッジは、インクと、このインクを収容するインク収容部とを備える。そして、このインク収容部に収容されているインクが、上記で説明した本発明のインクである。図１は、本発明のインクカートリッジの一実施形態を模式的に示す断面図である。図１に示すように、インクカートリッジの底面には、記録ヘッドにインクを供給するためのインク供給口１２が設けられている。インクカートリッジの内部はインクを収容するためのインク収容部となっている。インク収容部は、インク収容室１４と、吸収体収容室１６とで構成されており、これらは連通口１８を介して連通している。また、吸収体収容室１６はインク供給口１２に連通している。インク収容室１４には液体のインク２０が収容されており、吸収体収容室１６には、インクを含浸状態で保持する吸収体２２及び２４が収容されている。インク収容部は、液体のインクを収容するインク収容室を持たず、収容されるインク全量を吸収体により保持する形態であってもよい。また、インク収容部は、吸収体を持たず、インクの全量を液体の状態で収容する形態であってもよい。さらには、インク収容部と記録ヘッドとを有するように構成された形態のインクカートリッジとしてもよい。
【００３３】
＜インクジェット記録方法＞
本発明のインクジェット記録方法は、上記で説明した本発明のインクをインクジェット方式の記録ヘッドから吐出して記録媒体に画像を記録する方法である。インクを吐出する方式としては、インクに力学的エネルギーを付与する方式や、インクに熱エネルギーを付与する方式が挙げられる。本発明においては、インクに熱エネルギーを付与してインクを吐出する方式を採用することが特に好ましい。本発明のインクを用いること以外、インクジェット記録方法の工程は公知のものとすればよい。
【００３４】
図２は、本発明のインクジェット記録方法に用いられるインクジェット記録装置の一例を模式的に示す図であり、（ａ）はインクジェット記録装置の主要部の斜視図、（ｂ）はヘッドカートリッジの斜視図である。インクジェット記録装置には、記録媒体３２を搬送する搬送手段（不図示）、及びキャリッジシャフト３４が設けられている。キャリッジシャフト３４にはヘッドカートリッジ３６が搭載可能となっている。ヘッドカートリッジ３６は記録ヘッド３８及び４０を具備しており、インクカートリッジ４２がセットされるように構成されている。ヘッドカートリッジ３６がキャリッジシャフト３４に沿って主走査方向に搬送される間に、記録ヘッド３８及び４０から記録媒体３２に向かってインク（不図示）が吐出される。そして、記録媒体３２が搬送手段（不図示）により副走査方向に搬送されることによって、記録媒体３２に画像が記録される。
【実施例】
【００３５】
以下、実施例及び比較例を挙げて本発明をさらに詳細に説明するが、本発明は、その要旨を超えない限り、下記の実施例によって何ら限定されるものではない。なお、成分量に関して「部」及び「％」と記載しているものは特に断らない限り質量基準である。
【００３６】
＜色材の合成＞
（化合物１）
特許文献２の記載を参考にして、遊離酸型として下記の構造式（１）で表される化合物を合成した。その後、常法にしたがってイオン交換を行い、ナトリウム塩型の化合物（この化合物を「化合物１」と記載する）を得た。
【００３７】
2017222825.tif 000005
【００３８】
（化合物２）
特許文献３の記載を参考にして、遊離酸型として下記の構造式（２）で表される化合物を合成した。その後、常法にしたがってイオン交換を行い、ナトリウム塩型の化合物（この化合物を「化合物２」と記載する）を得た。
【００３９】
2017222825.tif 000006
【００４０】
（化合物３）
特許文献４の記載を参考にして、遊離酸型として下記の構造式（３）で表される化合物を合成した。その後、常法にしたがってイオン交換を行い、ナトリウム塩型の化合物（この化合物を「化合物３」と記載する）を得た。
【００４１】
2017222825.tif 000007
【００４２】
（化合物４）
特許文献１の記載を参考にして、遊離酸型として下記の式（４）で表される化合物を合成した。その後、常法にしたがってイオン交換を行い、ナトリウム塩型の化合物（この化合物を「化合物４」と記載する）を得た。
2017222825.tif 000008
【００４３】
＜インクの調製＞
表１−１〜１−３の上段（単位：％）に示す各成分（単位：％）を混合し、十分に撹拌した後、ポアサイズ０．２０μｍのフィルターで加圧ろ過して各インクを調製した。なお、表中の「アセチレノールＥ１００」（川研ファインケミカル製）は、ノニオン性界面活性剤の商品名である。また、表１−１〜１−３の下段には、一般式（Ｉ）で表される化合物の含有量Ａ（％）、水溶性銅化合物の含有量Ｂ（％）、及びＡ／Ｂの値（倍）を示した。
【００４４】
2017222825.tif 000009
【００４５】
2017222825.tif 000010
【００４６】
2017222825.tif 000011
【００４７】
＜評価＞
上記で得られた各インクをそれぞれインクカートリッジに充填し、熱エネルギーの作用により記録ヘッドからインクを吐出するインクジェット記録装置（商品名「ＰＩＸＵＳ  ｉＰ８６００」、キヤノン製）に搭載した。本実施例においては、１／２４００インチ×１／１２００インチの単位領域に２．５ｐＬのインクを付与して記録したベタ画像を「記録デューティが１００％である」と定義する。光学濃度及び耐オゾン性の評価の際には、分光光度計（商品名「Ｓｐｅｃｔｒｏｌｉｎｏ」、Ｇｒｅｔａｇ  Ｍａｃｂｅｔｈ製）を用いて、光源：Ｄ５０、視野：２°の条件で光学濃度を測定した。本実施例においては、下記の各項目の評価基準で、「Ａ」及び「Ｂ」を許容できるレベル、「Ｃ」を許容できないレベルとした。評価結果を表２に示す。
【００４８】
（発色性）
上記のインクジェット記録装置を用いて、温度２３℃、相対湿度５５％の環境で、記録媒体（光沢紙、商品名「キヤノン写真用紙・光沢  プロプラチナ」、キヤノン製）に、記録デューティが１００％であるベタ画像を記録した。得られた記録物におけるベタ画像の光学濃度を測定した。得られた光学濃度の値から、以下に示す評価基準にしたがって光学濃度（発色性）を評価した。
Ａ：光学濃度が２．３５以上であった。
Ｂ：光学濃度が２．３０以上２．３５未満であった。
Ｃ：光学濃度が２．３０未満であった。
【００４９】
（耐オゾン性）
上記のインクジェット記録装置を用いて、温度２３℃、相対湿度５５％の環境で、記録媒体（光沢紙、商品名「キヤノン写真用紙・光沢  プロプラチナ」、キヤノン製）に、記録デューティが５０％であるベタ画像を記録した。得られた記録物におけるベタ画像の光学濃度（耐オゾン性試験前の光学濃度）を測定した。この記録物をオゾン試験装置（商品名「ＯＭＳ−Ｈ」、スガ試験機製）中に載置し、槽内温度２３℃、相対湿度５０％、オゾンガス濃度１０ｐｐｍで２４時間、オゾン曝露を行った。その後、記録物におけるベタ画像の光学濃度（耐オゾン性試験後の光学濃度）を測定した。得られた耐オゾン性試験前の光学濃度及び耐オゾン性試験後の光学濃度の値から、光学濃度の残存率＝［耐オゾン性試験後の光学濃度／耐オゾン性試験前の光学濃度］×１００％を算出し、以下に示す評価基準にしたがって耐オゾン性を評価した。なお、光学濃度の残存率は、上記分光光度計を用いて測定される、ブラック成分、イエロー成分、マゼンタ成分、及びシアン成分のそれぞれについて算出し、最も低い値を評価に用いた。
Ａ：光学濃度の残存率が７５％以上であった。
Ｂ：光学濃度の残存率が７０％以上７５％未満であった。
Ｃ：光学濃度の残存率が７０％未満であった。
【００５０】
（メタメリズム）
上記のインクジェット記録装置を用いて、温度２３℃、相対湿度５５％の環境で、記録媒体（光沢紙、商品名「キヤノン写真用紙・光沢  プロプラチナ」、キヤノン製）に、記録デューティが５０％であるベタ画像を記録した。上記で得られたベタ画像の部分について、ＣＩＥ（国際照明委員会）により規定されたＬ*ａ*ｂ*表色系におけるＬ*、ａ*、及びｂ*を測定した。Ｌ*、ａ*、及びｂ*は、分光光度計（商品名：Ｓｐｅｃｔｒｏｌｉｎｏ；Ｇｒｅｔａｇ  Ｍａｃｂｅｔｈ製）を用いて、光源：Ｄ５０、Ｄ６５、Ａ、Ｃ、及びＦ１〜Ｆ１２、視野：２°の条件で反射吸収スペクトルを測定した。このとき、光源がＤ５０である場合のＬ*、ａ*、及びｂ*の値を、「光源Ｄ５０におけるＬａｂ値」とし、光源がＤ６５、Ａ、Ｃ、及びＦ１〜Ｆ１２である場合（合計１５種）のＬ*、ａ*、及びｂ*の値を、「各光源におけるＬａｂ値」とした。そして、光源がＤ５０である場合におけるＬ*、ａ*、及びｂ*の値を基準として、１５種の各光源におけるＬ*、ａ*、及びｂ*の値のずれを、色差ΔＥ＝｛（ΔＬ）2＋（Δａ）2＋（Δｂ）2｝1/2の式に基づいて算出した。そして、これらの１５種の各光源でそれぞれ得られたΔＥの最大値から、メタメリズムの評価を行った。
Ａ：ΔＥの最大値が５．５未満であった。
Ｂ：ΔＥの最大値が５．５以上６．５未満であった。
Ｃ：ΔＥの最大値が６．５以上であった。
【００５１】
（耐固着性）
上記のインクジェット記録装置について、予め回復動作（クリーニング）を行った後、ＰＩＸＵＳ  ｉＰ８６００のノズルチェックパターンを記録した。そして、キャリッジが動作している途中で記録装置の電源ケーブルを引き抜くことにより、記録ヘッドにキャッピングが行われていない状態として、この状態のまま、インクジェット記録装置を温度３０℃、相対湿度１０％の環境で１４日間放置した。その後、このインクジェット記録装置を温度２５℃の環境に６時間放置して常温に戻した後、回復動作をしながら記録を行って、以下の基準にしたがって耐固着性の評価を行った。
Ａ：１〜２回の回復動作で正常に記録できた。
Ｂ：３〜５の回復動作で正常に記録できた。
Ｃ：５回以下の回復動作では正常に記録できなかった。
【００５２】
2017222825.tif 000012
【図１】
2017222825.tif 000015
【図２】
2017222825.tif 000016